(57)【要約】【課題】コインランドリの営業時間外で、その出入口の扉が施錠された後であっても、その店舗内のランドリ機器を使用している人であれば、店舗内に入ることができるようにする。【解決手段】コインランドリの営業終了時刻を過ぎてランドリ機器を使用する場合に、発券装置からカードが発行される。営業終了時刻が経過すると、錠装置が施錠されて可動扉４がロックされるが、カードをカード読取装置１１に挿入してその記録内容を読み取らせると、錠装置５が一時的に解錠されて店舗内に入ることができる。【選択図】図２
2007107222.tif 000002
【特許請求の範囲】
【請求項１】
サービス提供設備を設置した施設の出入口に扉を設け、この扉を施解錠する錠装置を営業開始時刻に解錠し営業終了時刻に施錠するサービス提供施設の出入管理システムにおいて、
前記サービス提供設備を前記施設の営業終了時刻を過ぎて使用する場合に、カードを発行する発券手段と、
前記カードを検出して前記錠装置に対して解錠指令を出力するカード検出手段と、
を具備してなるサービス提供施設の出入管理システム。
【請求項２】
前記サービス提供設備は、洗濯機能および／または乾燥機能を有するランドリ機器であり、
前記発券手段は、現在時刻と前記ランドリ機器に投入された金額に応じた当該ランドリ機器の稼働時間とに基いて前記ランドリ機器の使用終了時刻を計算し、発券の要否を判断する判断手段を備えていることを特徴とする請求項１記載のサービス提供施設の出入管理システム。
【発明の詳細な説明】
【技術分野】
【０００１】
本発明はコインランドリなどのサービス提供施設の出入口の扉の施解錠を制御するサービス提供施設の出入管理システムに関する。
【背景技術】
【０００２】
コインランドリは、通常、無人で運営されている。そのため、夜間の不審者の侵入を防止するために、出入口の扉の施解錠を営業時間に合わせて自動的に行う出入管理システムを取り入れているコインランドリも多い。
なお、本発明とは直接の関係はないが、コインランドリにおいて、店舗内に設置された洗濯機や乾燥機などのランドリ機器を対象に、その蓋の施解錠を暗証番号の入力によって行うようにしたものがある（特許文献１）。
【特許文献１】特開２００３−３０７４３号公報
【発明の開示】
【発明が解決しようとする課題】
【０００３】
コインランドリの出入管理システムでは、営業終了時刻になると、店舗の出入口の扉が自動的に施錠され、その後は、店舗から外へ出ることしかできなくなる。このため、利用者が、ランドリ機器の運転終了までの待ち時間を利用して用事を済ませようとして、店舗外に出ている間に営業終了時刻が来ると、店舗内に入ることができず、翌日の営業開始時刻まで洗濯物を取り出すことができなくなるという問題を生ずる。
【０００４】
本発明は上記の事情に鑑みてなされたもので、その目的は、サービス提供施設の出入口の扉が施錠された後であっても、施設内の機器を使用している人であれば、施設内に入ることができるサービス提供施設の出入管理システムを提供することにある。
【課題を解決するための手段】
【０００５】
上記目的を達成するために、本発明は、サービス提供設備を設置した施設の出入口に扉を設け、この扉を施解錠する錠装置を営業開始時刻に解錠し営業終了時刻に施錠するサービス提供施設の出入管理システムにおいて、前記サービス提供設備を前記施設の営業終了時刻を過ぎて使用する場合に、カードを発行する発券手段と、前記カードを検出して前記錠装置に対して解錠指令を出力するカード検出手段と、を具備する構成を採用した。
この手段によれば、営業終了時刻を過ぎても、カードを持っていれば、施設内に入ることができる。
【０００６】
この場合、前記サービス提供設備を、洗濯機能および／または乾燥機能を有するランドリ機器とし、前記発券手段は、現在時刻と前記ランドリ機器に投入された金額に応じた当該ランドリ機器の稼働時間とに基いて前記ランドリ機器の使用終了時刻を計算し、発券の要否を判断する判断手段を備えたものとすることができる。
この手段によれば、サービス提供施設（コインランドリ）の側で、ランドリ機器の使用が営業終了時刻を越えた使用となるか否かを判断するので、発券の要否が正確になされる。
【発明を実施するための最良の形態】
【０００７】
以下、本発明の一実施形態をコインランドリに適用して図面を参照しながら説明する。図２はコインランドリの店舗（サービス提供施設）を正面から見た図である。図２に示すように、コインランドリの店舗１の出入口２には、固定扉３と引き戸式の可動扉４とが設けられている。これら両扉のうち、固定扉３は固定されていて動かず、可動扉４が左右に動くようになっており、可動扉４を矢印で示す図示左方向に移動させることによって出入口２が開かれて店舗１内に対して出入りできるようになる。
【０００８】
可動扉４は、手動開閉式であっても、自動開閉式、つまり常時は閉じた状態にあり、人を検出すると自動的に開くタイプの扉であっても良い。この可動扉４は、営業時間外には開くことができないようになされる。そのために、店舗１の出入口２には、可動扉４を施解錠するための錠装置５が設けられている。この錠装置５は電動式で、コインランドリの営業時間外になると、可動扉４を施錠して開けられないようにする。なお、営業時間外でも、店舗１内からは、手動で錠装置５を解錠できるようになっている。
【０００９】
コインランドリの店舗１内には、図３に示すランドリ機器（サービス提供機器）６が複数台設置されている。このランドリ機器６は、洗濯と乾燥を自動で連続的に行うことができるように構成されている。ランドリ機器６の前面部には、洗濯物の出入口（図示せず）を開閉するドア７が設けられていると共に、操作パネル８が設けられている。そして、ランドリ機器６のドア７を開いて中にある図示しないドラム内に洗濯物を入れ、操作パネル８に設けられたコイン投入口９から所望額のコインを投入すると、その投入されたコインの額に応じた時間だけ洗濯乾燥運転が行われるようになっている。
【００１０】
店舗１側の電気的構成およびランドリ機器６側の電気的構成は、図１に示されている。この図１において店舗１側には、前記錠装置５の他に、照明設備１０、カード検出手段としてのカード読取装置１１、時計装置１２、制御手段としての制御装置１３などが設けられている。上記照明設備１０は、店舗１内を照らす蛍光灯などからなる。カード読取装置１１は、図２に示すように、店舗１の出入口２周辺の外側の壁面に取り付けられており、後述するカード１４がカード挿入口１５から挿入されると、そのカード１４の記録内容を読み取って制御装置１３に送る。時計装置１２は、時刻を計って現在時刻情報を制御装置１３に送る。制御装置１３は、マイクロコンピュータを主体として構成され、カード読取装置１１からのカード記録情報、時計装置１２からの現在時刻情報が入力されると、予め記憶された制御プログラムに基いて錠装置５、照明設備１０を制御する。
【００１１】
一方、ランドリ機器６側には、洗濯乾燥主装置１６、コイン検出装置１７、発券手段としての発券装置１８、表示装置１９、時計装置２０、スタートスイッチ２１、キャンセルスイッチ２２、制御手段としての制御装置２３が設けられている。洗濯乾燥主装置１６は、洗濯モータや乾燥用ヒータなどを備え、それらの運転を制御することによってランドリ機器６の洗濯乾燥運転を制御する。コイン検出装置１７は、前記コイン投入口９から投入されたコインの額を検出して制御装置２３に送る。
【００１２】
発券装置１８は、カード１４に所定事項を記録して操作パネル８に設けられたカード排出口２４からカード１４を排出する。表示装置１９は、操作パネル８に設けられ、コインの投入額、その投入額に応じたランドリ機器６の運転時間や運転終了時刻などを表示する。時計装置２０は、時刻を計って制御装置１３に現在時刻情報を送る。スタートスイッチ２１は、洗濯乾燥運転を開始させるためのもの、キャンセルスイッチ２２は、投入したコインの返却を希望する場合に操作するもので、その操作によって投入したコインが利用者へ返却されるように構成されている。
【００１３】
制御装置２３は、マイクロコンピュータを主体として構成され、コイン検出装置１７からのコイン投入額、時計装置２０からの現在時刻が入力されると、予め記憶された制御プログラムに基いて洗濯乾燥主装置１６、発券装置１８、表示装置１９を制御する。この場合、制御装置２３は、コインの投入額に応じて洗濯乾燥主装置１６の運転時間を設定するが、その運転終了時刻が店舗１の営業終了時刻よりも遅いとき、発券装置１８を制御して所定の事項が記録されたカード１４を発行するようになっている。そして、ランドリ機器６側の制御装置（以下、機器側制御装置）２３は、店舗１側の制御装置（以下、店舗側制御装置）１３に発行したカード１４を識別するための識別情報、例えばカードナンバー、カード１４に記録した所定事項の内容を送信するようになっている。
【００１４】
次に上記構成の作用を図４および図５のフローチャートをも参照しながら説明する。なお、図４は店舗側制御装置１３の制御動作を示し、図５は機器側制御装置２３の制御動作を示している。
店舗側制御装置１３は、一定の短時間毎に時計装置１２から現在時刻を取得し、店舗１の営業開始時刻になると錠装置５を開錠する。営業開始時刻が午前中であれば照明を必要としないので、以後、照明点灯時刻として設定された時刻になるまで、照明設備１０は消灯のままにされる（以上、図４のステップＳ１で「ＹＥＳ」、ステップＳ２、ステップＳ３で「ＮＯ」、ステップＳ６、ステップＳ７の繰り返し）。照明が必要な時刻になると、照明設備１０が点灯され、店舗１の営業終了時刻まで店舗１内を照明する（以上、ステップＳ１で「ＹＥＳ」、ステップＳ２、ステップＳ３で「ＹＥＳ」、ステップＳ４、ステップＳ５で「ＮＯ」の繰り返し）。そして、営業終了時刻になると、店舗側制御装置１３は、錠装置５を施錠して可動扉４を開くことができないようにロックすると共に、証明設備１０を消灯する（ステップＳ５で「ＹＥＳ」、ステップＳ６）。
【００１５】
さて、営業時間中に店舗１内に入った利用者が、ランドリ機器６のドア７を開いて洗濯物を図示しない洗濯乾燥ドラム内に投入し、そしてドア７を閉めたとする。すると、機器側制御装置２３は、図５に示すように、そのドア７の開閉を検出し、コイン投入を待つ状態となる（ステップＡ１で「ＹＥＳ」、ステップＡ２）。なお、ドア７の開閉の検出は、ドア７の開閉に応じてオンオフする検出スイッチ（図示せず）からのオンオフ信号によって行う。その後、コイン投入口９からコインが投入されると（ステップＡ２で「ＹＥＳ」）、コイン検出装置１７が投入されたコインの額を検出し、機器側制御装置２３に送信する（ステップＡ３）。
【００１６】
すると、機器側制御装置２３は、コイン投入額に応じた洗濯乾燥主装置１６の運転時間を演算し、図示しないメモリに記憶する（ステップＡ３）。その後、キャンセルスイッチ２２が操作されたか否か（ステップＡ５）、スタートスイッチ２１が操作されたか否かを監視する状態となり（ステップＡ６）。そして、キャンセルスイッチ２２が操作されると、機器側制御装置２３は、コイン検出装置１７に対して返却指令を発し、コインを利用者に返却する動作を実行させる（ステップＡ５で「ＹＥＳ」、ステップＡ７）。
【００１７】
キャンセルスイッチ２２が操作されることなく、スタートスイッチ２１が操作されると（ステップＡ５で「ＮＯ」、ステップＡ６で「ＹＥＳ」）、機器側制御装置２３は、現在時刻に前記ステップＡ４で演算した運転時間を足して運転終了時刻を演算し（ステップＡ８）、その運転終了時刻が店舗１の営業終了時刻よりも前であるか否かを判断する（ステップＡ９）。なお、上記の運転時間および運転終了時刻は、表示装置１９に表示されるようになっている。
【００１８】
運転終了時刻が店舗１の営業終了時刻よりも前であった場合（ステップＡ９で「ＮＯ」）、機器側制御装置２３は、洗濯乾燥主装置１６を起動して洗濯乾燥運転を開始させる（ステップＡ１０）。そして、運転中にコインが追加投入された場合、機器側制御装置２３は、前述したと同様にして投入額に応じた運転時間を求め、これと現在時刻とから運転終了時刻を演算し、運転終了時刻が店舗１の営業終了時刻よりも前であるか否かを判断する（ステップＡ１１で「ＹＥＳ」、ステップＡ１２、ステップＡ１３、ステップＡ１４）。運転終了時刻が店舗１の営業終了時刻よりも前である場合、機器側制御装置２３は、そのまま運転終了時刻となるまで洗濯乾燥運転を行い、運転終了時刻となったところで運転を終了する（ステップＡ１５で「ＹＥＳ」、ステップＡ１６）。
【００１９】
ところで、最初のコイン投入時点で演算された運転終了時刻が店舗１の営業終了時刻よりも後になる場合、或いは、コインの追加投入によって運転終了時刻が店舗１の営業終了時刻よりも後になる場合がある。このような場合、機器側制御装置２３は、ステップＡ９で「ＹＥＳ」、或いはステップＡ１４で「ＹＥＳ」となってステップＡ１７に移行する。このステップＡ１７では、機器側制御装置２３は、発券装置１８に対して運転終了時刻を通知すると共に発券指令を発する。このことから、機器側制御装置２３は、コインの投入額に応じてランドリ機器６の運転（稼動）時間を計算し、そして、この運転時間から運転終了時刻を計算して発券の要否を判断する発券装置１８の判断手段として機能する。
【００２０】
発券装置１８は、この発券指令に応じてカード１４を発行し、そのカード１４をカード排出口２４から排出する（ステップＡ１８）。このとき、発券装置１８は、カード１４にカード番号、運転終了時刻などの発券情報を記録する。そして、カード１４が発行されると、機器側制御装置２３は、そのカード１４のカード番号と運転終了時刻とを店舗側制御装置１３に送信し（ステップＡ１９）、店舗側制御装置１３は、そのカード番号および運転終了時刻を記憶手段としての図示しないメモリに記憶する。なお、店舗側制御装置１３のカード番号および運転終了時刻の受信とその記憶とは、割り込み処理によって行われる。
【００２１】
その後、機器側制御装置２３は、洗濯乾燥主装置１６の運転開始が未だの場合には、その運転を開始させ、運転開始中であった場合には、そのまま運転を継続させる（ステップＡ２０）。そして、この運転中も、機器側制御装置２３は、コインの追加投入の有無を検出し（ステップＡ２１）、追加投入がなかった場合には、運転終了時刻の到来を待って運転を終了する（ステップＡ２２で「ＹＥＳ」、ステップＡ１６）。
【００２２】
コインの追加投入があった場合には、機器側制御装置２３は、前述したと同様にして投入額に応じた運転時間を求め、これと現在時刻とから運転終了時刻を更新し（ステップＡ２１で「ＹＥＳ」、ステップＡ２３、ステップＡ２４、ステップＡ２５）、そして、更新した運転終了時間をカード番号と共に店舗側制御装置１３に送信する（ステップＡ２６）。更新した運転終了時刻を受信した店舗側制御装置１３は、そのメモリに記憶されている当該カード番号についての運転終了時刻を新たに送信されて来た運転終了時刻に更新する。その後、機器側制御装置２３は、運転終了時刻の到来を待って運転を終了する（ステップＡ２１で「ＮＯ」、ステップＡ２２で「ＹＥＳ」、ステップＡ１６）。
【００２３】
ところで、ランドリ機器６の運転中に用を済ますために店舗１の外に出たとする。そして、用を済ませて再び店舗１内には入る場合、店舗１の営業時間中ならば可動扉４を自由に開くことができるので、そのまま店舗１内に入ることができる。しかしながら、店舗１の営業が終了してしまった後では、可動扉４が錠装置５によってロックされているので外側からは開けられず、店舗１内に入れなくなってします。
【００２４】
このような場合、本実施例では、店舗１のカード読取装置１１にカード１４を挿入することによって、営業終了後でも店舗１内には入ることができる。即ち、営業終了後にあっては、店舗側制御装置１３は、カード読取が行われたか否かを監視している（図４のステップＳ７）。そして、店舗１のカード読取装置１１のカード挿入口１５からカード１４を挿入すると、カード読取装置１１は、挿入されたカード１４からその記録情報を読み取り、その読み取った情報を店舗側制御装置１３に送る。
【００２５】
すると、店舗側制御装置１３は、ステップＳ７で「ＹＥＳ」となってカード１４の記録情報と図示しないメモリに記憶されているカード情報とを照合する（ステップＳ８）。そして、カード１４の記録情報と図示しないメモリに記憶されているカード情報とが一致した場合、つまりメモリに記憶されているカード番号群の中に今回カード１４から読み取ったカード番号が存在した場合（ステップＳ９で「ＹＥＳ」）、店舗側制御装置１３は、錠装置５に解錠指令を出力し、錠装置５を一時的に解錠して可動扉４が手動で開くことができるようにすると共に、照明設備１０を一時的に点灯させる（ステップＳ１０）。
【００２６】
この解錠は、予め設定された第１の設定時間が経過するまで行われ、その第１の設定時間が経過すると、店舗側制御装置１３は、再び錠装置５を施錠する（ステップＳ１１で「ＹＥＳ」、ステップＳ１２）。なお、この第１の設定時間は、利用者が可動扉４を開いて店舗１内に入るに必要十分な時間であれば良い。その後、店舗側制御装置１３は、現在時刻がランドリ機器６の運転終了時刻を過ぎているか否かを判断し（ステップＳ１３）、運転終了時刻が過ぎていれば、扉解錠時点から第２の設定時間が経過した時点で、また、運転終了時刻前であった場合には、その運転終了時刻から第２の設定時間が経過した時点で照明設備１０を消灯する（ステップＳ１４で「ＹＥＳ」、ステップＳ６）。そして、利用者は、その照明設備１０が点灯されている間にランドリ機器６から洗濯物を取り出して店舗１から外へ出る。このことから理解されるように、第２の設定時間は、ランドリ機器６から洗濯物を取り出し、そして錠装置５を手動で解錠して可動扉４を開いて店舗１から外へ出るに必要十分な長さに定める。
【００２７】
このように本実施例によれば、店舗１の営業時間終了後であっても、カード１４を持っていれば店舗１内に再び入ることができるので、翌日の営業開始時刻まで洗濯物の取り出しを待たねばならないという不具合を解消することができる。
【００２８】
なお、本発明は上記し且つ図面に示す実施例に限定されるものではなく、次のような拡張或いは変更が可能である。
営業時間終了後にカード１４で店舗１内に入った場合、その後の錠装置５の施錠と照明設備１０の消灯とは同じタイミングで行っても良い。この場合には、ランドリ機器６から洗濯物を取り出し、そして店舗１から外へ出るタイミングで施錠および消灯を行えば良い。
各ランドリ機器６にそのドア７を施錠する錠装置を設け、運転中施錠状態にして洗濯物の盗難を防止するようにしても良い。この場合、解錠は、ランドリ機器６にカード読取装置を設け、このカード読取装置に発券装置１８が発行したカード１４を読み取らせることによって行うように構成することが考えられる。このように構成した場合には、カード１４は、営業時間内であっても発行されるが、特許請求の範囲に言う「営業終了時刻を過ぎて使用する場合に、カードを発行する」という意味は、施錠された店舗１の錠装置５を解錠するための情報が記録されたカードを発行するという意味になる。
発券装置１８を設置する場所は、ランドリ機器６に限らない。店舗１内の壁面であっても良い。
本発明はコインランドリ以外の施設に適用しても良い。例えば、駐車場がビルの地下に設けられていて、地下駐車場への出入口の扉が営業時間外は施錠されるというような場合、駐車場へ入ったときに、出庫予定時刻を入力することでカードにその出庫予定時刻を記録して貰うことで、営業時間外でも地下駐車場に入って自動車を出すことができる。なお、この駐車場において、本発明にいうサービス提供機器は、車輪止め機が相当する。
【図面の簡単な説明】
【００２９】
【図１】本発明の一実施例の電気的構成を示すブロック図
【図２】コインランドリの店舗の正面図
【図３】ランドリ機器の斜視図
【図４】店舗側制御装置の制御内容を示すフローチャート
【図５】機器側制御装置の制御内容を示すフローチャート
【符号の説明】
【００３０】
図面中、１は店舗（サービス提供施設）、２は出入口、４は可動扉、５は錠装置、６はランドリ機器（サービス提供設備）、１１はカード読取装置（カード検出手段）、１３は店舗側制御装置、１４はカード、１７はコイン検出装置、１８は発券装置（発券手段）、２３は機器側制御装置（判断手段）である。
【図１】
2007107222.tif 000003
【図２】
2007107222.tif 000004
【図３】
2007107222.tif 000005
【図４】
2007107222.tif 000006
【図５】
2007107222.tif 000007